Podtech/llm-jp-corpus-v4-ja_patent huggingface dataset:
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
一つ以上の珪質、アルミノ珪質及びアルミニウム質の材料を含む少なくとも１０質量％の活性化可能なアモルファス相を含み、
前記活性化可能なアモルファス相が、化学反応を行うことで活性化されてセメント質化合物を形成するように構成されており、
結晶相を更に含み、前記結晶相が、その大部分に、結晶性黄長石、結晶性斜長石または結晶性アルカリ長石を含む、合成ポゾラン。
【請求項２】
少なくとも１０質量％の活性化可能なアモルファス相を含む合成ポゾランの製造方法であり、
前記方法が、クリンカーを生成するために高温プロセスで固相反応を行う工程と、
前記固相反応の反応速度又は反応の最大範囲を、前処理化学物質の不存在下で確認される前記反応速度又は前記反応の最大範囲よりも改善するために、前記前処理化学物質を使用する工程とを含む、合成ポゾランの製造方法。
【請求項３】
前記高温プロセスで固相反応を行う工程が：
一つ以上の前駆体原料を選択する工程；
前記一つ以上の前駆体原料の化学組成を分析する工程；
前記一つ以上の前駆体原料を混合して、Al、Fe、Mg、Siの合計に対するCaのバルクモル比が０．５〜１．０であり、且つAl、Fe及びMgの金属酸化物の合計が少なくとも１４重量％である混合前駆体組成物を得る工程；及び、
前記混合前駆体組成物を、前記混合前駆体組成物が反応して黄長石系クリンカーを生成するのに十分な時間、８００°C〜１４００°Cの間の温度に加熱する工程；
を含む、請求項２に記載の合成ポゾランの製造方法。
【請求項４】
前記高温プロセスで固相反応を行う工程が：
一つ以上の前駆体原料を選択する工程；
前記一つ以上の前駆体原料の化学組成を分析する工程；
前記一つ以上の前駆体原料を混合して、一つ以上のCaAl（灰長石端成分）、NaSi（曹長石端成分）、又はKAl（正長石端成分）が、CaAl＋NaSi＋KAl成分対AlSi2O8のモル比にして０．８〜１．２対１で添加されたAlSi2O8のバルク化学を有する混合前駆体組成物を得る工程；及び、
前記混合前駆体組成物を、前記混合前駆体組成物が反応して斜長石長石系クリンカーを生成するのに十分な時間、８００°C〜１４００°Cの間の温度に加熱する工程；
を含む、請求項２に記載の合成ポゾランの製造方法。
【請求項５】
前記前処理化学物質が、酢酸、クエン酸、酒石酸、グルコン酸、及びシュウ酸の内少なくとも一つを含有する有機酸溶液である、請求項２に記載の合成ポゾランの製造方法。
【請求項６】
前記クリンカーの粉砕中に前記前処理化学物質を導入する工程を含む、請求項２に記載の合成ポゾランの製造方法。
【請求項７】
粉砕クリンカーに前記前処理化学物質を導入する工程を含む、請求項２に記載の合成ポゾランの製造方法。
【請求項８】
少なくとも１０質量％の活性化可能なアモルファス相を含む合成ポゾランの製造方法であり、
前記方法が、低温プロセスで水性反応を行う工程と、
反応器を通じてCO2含有廃ガスを浸出させる工程とを含む、合成ポゾランの製造方法。
【請求項９】
前記低温プロセスで水性反応を行う工程が、
分解又は不調和溶解して活性化可能なアモルファス相を形成するように構成されたシリケート鉱物と、前駆体鉱物の前記分解又は溶解を補助するように構成された前駆体化学物質と、を含む前駆体を使用することを含む、請求項８に記載の合成ポゾランの製造方法。
【請求項１０】
前記前駆体化学物質が酸である、請求項８に記載の合成ポゾランの製造方法。
【請求項１１】
前記前駆体化学物質がCO2ガスに由来する、請求項８に記載の合成ポゾランの製造方法。
【請求項１２】
前記前駆体化学物質がCO2ガスから合成される、請求項８に記載の合成ポゾランの製造方法。
【請求項１３】
前記前駆体鉱物が、天然で得られた鉱物、珪質石灰岩、粘土、珪灰石、カンラン石、及び長石から選択されてなる、請求項８に記載の合成ポゾランの製造方法。
【請求項１４】
前記前駆体鉱物が、普通ポルトランドセメント、カルシウムサルホアルミネートセメント、カルシウムアルミネートセメント、炭酸塩化可能なカルシウムシリケートセメント、及び合成鋳物砂から選択される人工材料である、請求項８に記載の合成ポゾランの製造方法。
【請求項１５】
前記前駆体鉱物が合成的に生産されたポゾランである、請求項８に記載の合成ポゾランの製造方法。
【請求項１６】
前記前駆体鉱物が、廃棄材料、スラグ及びフライアッシュから選択されてなる、請求項８に記載の合成ポゾランの製造方法。
【請求項１７】
前記活性化可能なアモルファス相がSiO2及びAl2O3を含む、請求項８に記載の合成ポゾランの製造方法。
【請求項１８】
請求項１に記載の合成ポゾランを活性剤及び水と混合してなる複合材料。
【請求項１９】
前記活性剤が、水硬性セメント（１〜７０重量％）、遊離石灰（１〜２０重量％）、水酸化カルシウム（１〜２０重量％）、及びアルカリ水酸化物（NaOH、KOHが１〜１０重量％）から、個々に又は組合せで選択されてなる、請求項１８に記載の複合材料。
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
パラジウムと、シリカ、アルミナおよびシリカ−アルミナによって構成される群から選択される少なくとも１種の耐火性酸化物を含む多孔質担体とを含む触媒であって、触媒中のパラジウムの含有率は、全触媒重量に対して０．０１重量％〜２重量％の範囲内であり、パラジウムの最低８０重量％は、前記担体の周囲におけるクラスト中に分配され、前記クラストの厚さは、２０〜１００μｍの範囲内であり、前記担体は、押出物状の形態にあり、１６５〜２５０ｍ２／ｇの範囲内の比表面積を含むことを特徴とする触媒。
【請求項２】
前記多孔質担体は、２〜１０ｍｍの範囲内の長さｈを含む押出物状の形態にあることを特徴とする請求項１に記載の触媒。
【請求項３】
前記多孔質担体は、少なくとも３個の葉を含む断面を含むことを特徴とする請求項１または２に記載の触媒。
【請求項４】
押出物の葉の数ｎは、整数値３、４、５、６、７、８、９および１０によって構成される群から選択される、請求項３に記載の触媒。
【請求項５】
葉の数ｎは、整数値３および４によって構成される群から選択される、請求項３または４に記載の触媒。
【請求項６】
押出物は、円筒状の形態にあることを特徴とする請求項１または２に記載の触媒。
【請求項７】
前記担体の比表面積は、１８０〜２２０ｍ２／ｇの範囲内であることを特徴とする請求項１〜６のいずれか１つに記載の触媒。
【請求項８】
前記多孔質担体は、アルミナであることを特徴とする請求項１〜７のいずれか１つに記載の触媒。
【請求項９】
パラジウムの金属分散Ｄは、２０％〜７０％の範囲内であることを特徴とする請求項１〜８のいずれか１つに記載の触媒。
【請求項１０】
担体は、２〜５０ｎｍの範囲内の細孔径を有することを特徴とする請求項１〜９のいずれか１つに記載の触媒。
【請求項１１】
銀をさらに含み、その含有率は、全触媒重量に対する銀の重量で０．０２％〜３％の範囲内であることを特徴とする請求項１〜１０のいずれか１つに記載の触媒。
【請求項１２】
アルカリおよびアルカリ土類によって構成される群から選択される少なくとも１種の金属を含むことを特徴とする請求項１〜１１のいずれか１つに記載の触媒。
【請求項１３】
請求項１〜１２のいずれか１つに記載の触媒の調製方法であって、以下の工程：
ａ）  酸化パラジウムまたは水酸化パラジウムの水性溶液を調製する工程；
ｂ）  前記溶液を、１６５〜２５０ｍ２／ｇの範囲内の比表面積を有する押出物状の形態にある多孔質担体上に含浸させる工程；
ｃ）  場合による、工程ｂ）から得られた含浸済み多孔質担体を熟成に付して、触媒前駆体を得る工程；
ｄ）  工程ｂ）またはｃ）から得られた触媒前駆体を、７０℃〜２００℃の範囲内の温度で乾燥させる工程；
ｅ）  工程ｄ）から得られた触媒前駆体を、３００℃〜５００℃の範囲内の温度で焼成する工程；
ｆ）  場合による、工程ｅ）から得られた焼成済み触媒を、還元ガスとの接触による還元処理に付す工程
を含む、方法。
【請求項１４】
工程ａ）において、酸化パラジウムまたは水酸化パラジウムのコロイド懸濁液を水相で調製する、請求項１３に記載の方法。
【請求項１５】
供給原料を、請求項１〜１２のいずれか１つに記載の触媒または請求項１３または１４により調製された触媒と接触させる工程を含む選択的水素化方法であって、前記供給原料は、水蒸気分解および／または接触分解からのＣ３留分、Ｃ４留分、またはＣ５留分によってまたは水蒸気分解済みのガソリンによって構成される群から選択される、方法。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
式（Ｉ）の塩であって、
Ｈ２ＮＣＨ２ＣＯＣＨ２ＣＨ２ＣＯＯＲ・Ｃｌ３Ｃ−ＣＯＯＨ      （Ｉ）
ただし、Ｒが、水素、メチル、エチル、プロピル、ブチル、ペンチル、ヘキシル、ｓｅｃ−プロピル、ｓｅｃ−ブチル、ｔｅｒｔ−ブチル、ｓｅｃ−ペンチル、ｓｅｃ−ヘキシル、クロロプロピル、クロロブチル、クロロペンチル、クロロヘキシル、ベンジル、２−メチルベンジル、４−メチルベンジル、４−クロロ−ベンジル、４−クロロ−ベンジル、２−ニトロ−ベンジル、４−ニトロ−ベンジル、２−イソプロピルベンジル、４−イソプロピルベンジル、４−フルオロ−ベンジル、及び４−フルオロ−ベンジルから成る群から選択される塩。
【請求項２】
Ｒが、水素、メチル、ヘキシル、及びベンジルから成る群から選択される、請求項１の塩。
【請求項３】
５−アミノレブリン酸２，２，２−トリクロロ酢酸塩、メチル５−アミノレブリン酸２，２，２−トリクロロ酢酸塩、ヘキシル５−アミノレブリン酸２，２，２−トリクロロ酢酸塩、ベンジル５−アミノレブリン酸２，２，２−トリクロロ酢酸塩、及び４−メチルベンジル５−アミノレブリン酸２，２，２−トリクロロ酢酸塩から成る群から選択される請求項１の塩。
【請求項４】
請求項１に記載の塩と、少なくとも１つの薬学的又は美容的に許容可能な担体又は添加剤とを備える医薬組成物。
【請求項５】
前記組成物が、インジウムと結合したピロフェオホルビドから選択される光増感剤を更に含む、請求項４に記載の医薬組成物。
【請求項６】
前記塩が、５−アミノレブリン酸２，２，２−トリクロロ酢酸塩である、請求項１に記載の塩。
【請求項７】
前記塩が、メチル５−アミノレブリン酸２，２，２−トリクロロ酢酸塩である、請求項１に記載の塩。
【請求項８】
前記塩が、ヘキシル５−アミノレブリン酸２，２，２−トリクロロ酢酸塩である、請求項１に記載の塩。
【請求項９】
前記塩が、５−アミノレブリン酸２，２，２−トリクロロ酢酸塩、メチル５−アミノレブリン酸２，２，２−トリクロロ酢酸塩、ヘキシル５−アミノレブリン酸２，２，２−トリクロロ酢酸塩、ベンジル５−アミノレブリン酸２，２，２−トリクロロ酢酸塩、及び４−メチルベンジル５−アミノレブリン酸２，２，２−トリクロロ酢酸塩から成る群から選択される、請求項４に記載の医薬組成物。
【請求項１０】
前記塩が、５−アミノレブリン酸２，２，２−トリクロロ酢酸塩である、請求項４に記載の医薬組成物。
【請求項１１】
前記塩が、メチル５−アミノレブリン酸２，２，２−トリクロロ酢酸塩である、請求項４に記載の医薬組成物。
【請求項１２】
前記塩が、ヘキシル５−アミノレブリン酸２，２，２−トリクロロ酢酸塩である、請求項４に記載の医薬組成物。
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
接着要素により担体に一時的に接着される組立体を提供することであって、前記組立体が、少なくとも１枚のプラスチック支持シートを含む、提供することと、
前記組立体および前記接着要素を機械的に圧縮しながら加熱することであって、前記機械的な圧縮を受けている前記組立体および前記接着要素を加熱することの間、前記担体および／または前記組立体への前記接着要素の接着強度が部分的に低減される、加熱することと、を含み、前記担体および／または前記組立体への前記接着要素の前記接着強度が、前記組立体および前記接着要素が機械的に圧縮される圧力を部分的にまたは完全に緩めた後で、前記接着要素をさらに加熱することによりさらに低減できる、方法。
【請求項２】
前記組立体および前記接着要素が機械的に圧縮される前記圧力を部分的にまたは完全に緩めた後で、前記接着要素をさらに加熱して、前記担体および／または前記組立体への前記接着要素の前記接着強度をさらに低減し、前記接着要素を前記担体および／または前記組立体から剥離することをさらに含む、請求項１に記載の方法。
【請求項３】
前記組立体および前記接着要素を機械的に圧縮しながら前記担体および／または前記組立体への前記接着要素の前記接着強度を部分的に低減することが、前記接着要素が前記担体および／または前記組立体に接触する場所に気孔を生成し、それにより前記接着要素の固体物と前記担体および／または前記組立体との間の接触面積を減少させることを含み、前記接着要素と前記担体および／または前記組立体との間の前記接着強度をさらに低減することは、前記接着要素の前記固体物を熱膨張させて、前記接着要素の前記固体物と前記気孔の間の場所にある前記担体および／または前記組立体との間の接触を絶つことを含む、請求項２に記載の方法。
【請求項４】
前記接着要素から前記担体および前記組立体のうちの一方を、前記接着要素から前記担体および前記組立体のうちの他方を剥離することなく剥離することを含む、請求項１に記載の方法。
【請求項５】
前記組立体が、２枚のプラスチック支持シートおよび前記２枚のプラスチック支持シートの間に液晶材料を受ける空間を作るためのスペーサを含む液晶ディスプレイの構成部品を含む、請求項１から請求項４のいずれかに記載の方法。
【請求項６】
前記組立体は、それぞれの接着要素によりそれぞれの担体に両側で一時的に接着され、
前記組立体が、２枚のプラスチック支持シートを含み、前記それぞれの担体が、前記２枚の支持シートを一緒に積み重ねて前記組立体を形成する工程の間、前記プラスチック支持シートのそれぞれを支持するために使用される、請求項１から請求項５のいずれかに記載の方法。
【請求項７】
前記接着要素が、支持シートおよび前記支持シートの両側上に支持された２つの接着層を含む、請求項１から請求項６のいずれかに記載の方法。
【請求項８】
前記組立体が、ＴＦＴのアクティブマトリックスアレイを画定する導体層、半導体層および絶縁体層のスタックを支持するプラスチック支持シートを含む、請求項１から請求項７のいずれかに記載の方法。
【請求項９】
前記組立体は、それぞれの担体に両側で一時的に接着され、
前記組立体から前記それぞれの担体のうちの一方を、前記組立体から前記それぞれの担体のうちの他方を剥離することなく剥離すること、およびその後、前記それぞれの担体のうちの他方から前記組立体を剥がすことをさらに含む、請求項１から請求項８のいずれかに記載の方法。
【請求項１０】
前記加熱して前記接着強度を部分的に低減することはまた、前記組立体内に含まれる接着剤を硬化することを含む、請求項２に記載の方法。
【請求項１１】
前記接着要素を加熱して前記接着強度を部分的に低減することは、前記接着要素をさらに加熱して前記接着強度をさらに低減する間、前記接着要素と組立体にわたって確立された最も小さい温度勾配より小さい前記接着要素と組立体にわたる温度勾配を確立することを含む、請求項２に記載の方法。
【請求項１２】
接着要素により担体に一時的に接着される組立体を提供することであって、前記組立体が、少なくとも１枚のプラスチック支持シートを含む、提供することと、
前記接着要素の中で気体が発生する状態で前記組立体および前記接着要素を加熱することであって、前記加熱することによる前記プラスチック支持シートの皺が防止される圧力で前記組立体および前記接着要素を圧縮しながら、前記担体と前記接着要素との間の界面および／または前記組立体と前記接着要素との間の界面に発生した気体の孔を保持しながら、加熱することと、を含む、方法。
【請求項１３】
前記加熱することが、前記組立体内に含まれる接着剤を硬化する状態の下で実施され、前記接着剤の前記硬化が完全であるとき、気孔が界面に留まる、請求項１２に記載の方法。
【請求項１４】
前記組立体および前記接着要素が圧縮される圧力を少なくとも部分的に緩めた後で、前記接着要素をさらに加熱して、（ｉ）前記担体および／または組立体と（ｉｉ）前記気孔の周りの場所の前記接着要素の固体物との間の前記接着強度を低減することをさらに含む、請求項１２または請求項１３に記載の方法。
【請求項１５】
前記組立体および前記接着要素を機械的に圧縮し続けながら前記組立体および接着要素を冷却した後、前記組立体および前記接着要素が機械的に圧縮される前記圧力を少なくとも部分的に緩め、前記接着要素をさらに加熱して、前記担体および／または前記組立体と前記気孔の周りの場所の前記接着要素の固体物との間の前記接着強度をさらに低減することを含む、請求項１４に記載の方法。
【請求項１６】
接着要素により担体に一時的に接着される組立体を提供することであって、前記組立体が、少なくとも１枚のプラスチック支持シートを含む、提供することと、
前記組立体内に含まれる接着剤を完全に硬化するまで前記組立体および前記接着要素を加熱することであって、前記担体および／または組立体への前記接着要素の接着強度が、前記加熱することの間に部分的に低減され、前記組立体内に含まれる前記接着剤を完全に硬化した後でさらに加熱することによりさらに低減できる、加熱することと、を含む、方法。
【請求項１７】
前記担体および／または組立体への前記接着要素の前記接着強度が、前記組立体内に含まれる前記接着剤を完全に硬化した後で、まず冷却し、その後さらに加熱することによりさらに低減できる、請求項１６に記載の方法。
【請求項１８】
前記組立体内に含まれる前記接着剤が、前記組立体内に２つの構成部品を一緒に固定する、請求項１６または請求項１７に記載の方法。
【請求項１９】
前記組立体および前記接着要素を機械的に圧縮しながら加熱した後、前記組立体および前記接着要素を機械的に圧縮し続けながら前記組立体を冷却することを含み、前記担体および／または前記組立体への前記接着要素の前記接着強度が、機械的な圧縮を受けている前記組立体および前記接着要素を前記加熱することおよび／または冷却することの間、部分的に低減され、前記担体および／または前記組立体への前記接着要素の前記接着強度が、前記組立体および前記接着要素が機械的に圧縮される圧力を部分的にまたは完全に緩めた後で、前記接着要素をさらに加熱することによりさらに低減できる、請求項１から請求項１１のいずれかに記載の方法。
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
ランダムアクセスプリアンブルを送信するステップと、
前記ランダムアクセスプリアンブルに応答して、ランダムアクセス応答を受信するステップと、
アップリンクギャップを使用して送信するための前記UEの能力の指示を含むアップリンクメッセージを送信するステップであって、前記アップリンクメッセージまたは前記ランダムアクセスプリアンブルのうちの少なくとも1つが、アップリンクギャップを使用して送信するための前記UEの前記指示された能力にかかわらず、アップリンクギャップを使用して送信される、ステップと、
アップリンクギャップに関する構成情報のシグナリングを受信するステップと
を備える方法。
【請求項２】
前記構成情報のシグナリングを受信するステップが、
上位レイヤシグナリングを介してメッセージを受信するステップと、
前記メッセージに基づいてアップリンクギャップ構成を設定するステップとを備える、
請求項1に記載の方法。
【請求項３】
前記上位レイヤシグナリングを介して受信された前記メッセージが、無線リソース制御(RRC)再構成メッセージまたはセキュリティ活動化メッセージのうちの少なくとも1つを備える、請求項2に記載の方法。
【請求項４】
上位レイヤにおいて前記上位レイヤシグナリングを介して受信された前記メッセージを処理するステップと、
アップリンクギャップ構成の指示を前記上位レイヤから物理レイヤにおいて受信するステップと
をさらに備える、請求項2に記載の方法。
【請求項５】
アップリンクギャップに関する前記構成情報に従って、物理アップリンク共有チャネル(PUSCH)または物理アップリンク制御チャネル(PUCCH)のうちの少なくとも1つを送信するステップ
をさらに備える、請求項1に記載の方法。
【請求項６】
前記アップリンクメッセージは、前記UEが、反復されるアップリンク送信の間でアップリンクギャップを使用することを要求するかどうかという指示を含む、請求項1に記載の方法。
【請求項７】
アップリンクギャップに関する前記構成情報の前記シグナリングが、無線リソース制御(RRC)シグナリングを備える、請求項1に記載の方法。
【請求項８】
アップリンクギャップを使用して送信するための前記UEの前記能力の前記指示を含む前記アップリンクメッセージが、無線リソース制御(RRC)シグナリングメッセージを備える、請求項1に記載の方法。
【請求項９】
前記指示が、前記UEが前記アップリンクギャップを使用して送信する能力がないことを示し、
前記構成情報が、前記UEがアップリングギャップを使用して送信しない指示を含む、請求項1に記載の方法。
【請求項１０】
基地局(BS)によるワイヤレス通信のための方法であって、
ユーザ機器(UE)からランダムアクセスプリアンブルを受信するステップと、
前記ランダムアクセスプリアンブルに応答して、ランダムアクセス応答を前記UEへ送信するステップと、
アップリンクギャップを使用して送信するための前記UEの能力の指示を含むアップリンクメッセージを前記UEから受信するステップであって、前記アップリンクメッセージまたは前記ランダムアクセスプリアンブルのうちの少なくとも1つが、アップリンクギャップを使用して送信するための前記UEの前記指示された能力にかかわらず、アップリンクギャップを用いて受信される、ステップと、
アップリンクギャップに関する構成情報のシグナリングを前記UEへ送信するステップと
を備える方法。
【請求項１１】
前記構成情報の前記シグナリングを送信するステップが、
上位レイヤシグナリングを介してメッセージを送信するステップを備える、
請求項10に記載の方法。
【請求項１２】
前記アップリンクメッセージは、前記UEが、反復されるアップリンク送信の間でアップリンクギャップを使用することを要求するかどうかという指示を含む、請求項10に記載の方法。
【請求項１３】
ユーザ機器(UE)によるワイヤレス通信のための装置であって、
ランダムアクセスプリアンブルを送信するための手段と、
前記ランダムアクセスプリアンブルに応答して、ランダムアクセス応答を受信するための手段と、
アップリンクギャップを使用して送信するための前記UEの能力の指示を含むアップリンクメッセージを送信するための手段であって、前記装置が、前記アップリンクメッセージまたは前記ランダムアクセスプリアンブルのうちの少なくとも1つを、アップリンクギャップを使用して送信するための前記UEの前記指示された能力にかかわらず、アップリンクギャップを使用して送信するように構成される、手段と、
アップリンクギャップに関する構成情報のシグナリングを受信するための手段と
を備える装置。
【請求項１４】
基地局(BS)によるワイヤレス通信のための装置であって、
ユーザ機器(UE)からランダムアクセスプリアンブルを受信するための手段と、
前記ランダムアクセスプリアンブルに応答して、ランダムアクセス応答を前記UEへ送信するための手段と、
アップリンクギャップを使用して送信するための前記UEの能力の指示を含むアップリンクメッセージを前記UEから受信するための手段であって、前記装置が、前記アップリンクメッセージまたは前記ランダムアクセスプリアンブルのうちの少なくとも1つを、アップリンクギャップを使用して送信するための前記UEの前記指示された能力にかかわらず、アップリンクギャップを用いて受信するように構成される、手段と、
アップリンクギャップに関する構成情報のシグナリングを前記UEへ送信するための手段と
を備える装置。
【請求項１５】
コンピュータ上で実行されると、請求項1から12のいずれか一項に記載の方法のステップを実施するための命令を有する、コンピュータプログラム。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
ビデオビットストリームを処理する方法であって、
前記ビデオビットストリームを取得するステップと、
前記ビデオビットストリームからビデオコンテンツデータを取得するステップであって、前記ビデオコンテンツデータが、コンテンツカラーボリュームに関連する1つまたは複数のピクチャを含み、前記コンテンツカラーボリュームが、前記ビデオコンテンツデータの前記1つまたは複数のピクチャの中に存在するカラーのセットによって指定される3次元領域である、ステップと、
前記ビデオコンテンツデータの前記1つまたは複数のピクチャの前記コンテンツカラーボリュームを示すコンテンツカラーボリューム情報を有するコンテンツカラーボリュームメッセージを受信するステップと、
前記コンテンツカラーボリュームメッセージから前記コンテンツカラーボリューム情報を取得するステップであって、前記コンテンツカラーボリューム情報が、前記1つまたは複数のピクチャの最小ルミナンスに関連する第1のルミナンス値、前記1つまたは複数のピクチャの最大ルミナンスに関連する第2のルミナンス値、および前記1つまたは複数のピクチャの色域を記述する1つまたは複数の原色の1つまたは複数の色度座標を含む、ステップと、
前記取得されたコンテンツカラーボリューム情報を使用して、前記取得されたコンテンツカラーボリューム情報によって示される前記コンテンツカラーボリュームから第2のコンテンツカラーボリュームに前記1つまたは複数のピクチャを変換するステップと
を備える方法。
【請求項２】
前記第1のルミナンス値が、正規化最小ルミナンス値を含み、前記第2のルミナンス値が、正規化最大ルミナンス値を含む、請求項1に記載の方法。
【請求項３】
前記第1のルミナンス値が、前記1つまたは複数のピクチャの最小ルミナンス値を導出するために使用され、前記第2のルミナンス値が、前記1つまたは複数のピクチャの最大ルミナンス値を導出するために使用される、請求項1に記載の方法。
【請求項４】
前記コンテンツカラーボリューム情報が、前記コンテンツカラーボリューム情報のサブセットがシグナリングされることを示すシンタックス要素を含む、請求項1に記載の方法。
【請求項５】
前記コンテンツカラーボリューム情報が、補足エンハンスメント情報(SEI)メッセージの1つまたは複数のシンタックス要素を使用してシグナリングされる、請求項1に記載の方法。
【請求項６】
前記1つまたは複数の色度座標が、前記1つまたは複数のピクチャの3原色を指定する3つの色度座標を含む、請求項1に記載の方法。
【請求項７】
前記3つの色度座標が、前記1つまたは複数のピクチャの緑色の原色用の緑色の色度座標、前記1つまたは複数のピクチャの赤色の原色用の赤色の色度座標、および前記1つまたは複数のピクチャの青色の原色用の青色の色度座標を含む、請求項6に記載の方法。
【請求項８】
ビデオビットストリームのビデオコンテンツデータを復号するための装置であって、
ビデオビットストリームを記憶するように構成されたメモリと、
プロセッサとを備え、前記プロセッサが、
前記ビデオビットストリームを取得することと、
前記ビデオビットストリームからビデオコンテンツデータを取得することであって、前記ビデオコンテンツデータが、コンテンツカラーボリュームに関連する1つまたは複数のピクチャを含み、前記コンテンツカラーボリュームが、前記ビデオコンテンツデータの前記1つまたは複数のピクチャの中に存在するカラーのセットによって指定される3次元領域である、ことと、
前記ビデオコンテンツデータの前記1つまたは複数のピクチャの前記コンテンツカラーボリュームを示すコンテンツカラーボリューム情報を有するコンテンツカラーボリュームメッセージを受信することと、
前記コンテンツカラーボリュームメッセージから前記コンテンツカラーボリューム情報を取得することであって、前記コンテンツカラーボリューム情報が、前記1つまたは複数のピクチャの最小ルミナンスに関連する第1のルミナンス値、前記1つまたは複数のピクチャの最大ルミナンスに関連する第2のルミナンス値、および前記1つまたは複数のピクチャの色域を記述する1つまたは複数の原色の1つまたは複数の色度座標を含む、ことと、
前記取得されたコンテンツカラーボリューム情報を使用して、前記取得されたコンテンツカラーボリューム情報によって示される前記コンテンツカラーボリュームから第2のコンテンツカラーボリュームに前記1つまたは複数のピクチャを変換することとを行うように構成される、
装置。
【請求項９】
前記第1のルミナンス値が、正規化最小ルミナンス値を含み、前記第2のルミナンス値が、正規化最大ルミナンス値を含む、請求項8に記載の装置。
【請求項１０】
前記第1のルミナンス値が、前記1つまたは複数のピクチャの最小ルミナンス値を導出するために使用され、前記第2のルミナンス値が、前記1つまたは複数のピクチャの最大ルミナンス値を導出するために使用される、請求項8に記載の装置。
【請求項１１】
ピクチャをキャプチャするためのカメラを有するモバイルデバイスを含む、請求項8に記載の装置。
【請求項１２】
前記ビデオコンテンツデータを表示するためのディスプレイ
をさらに備える、請求項8に記載の装置。
【請求項１３】
ビデオビットストリームのビデオコンテンツデータを符号化するための装置であって、
ビデオビットストリームを記憶するように構成されたメモリと、
プロセッサとを備え、前記プロセッサが、
前記ビデオビットストリームを取得することと、
前記ビデオビットストリームからビデオコンテンツデータを取得することであって、前記ビデオコンテンツデータが、コンテンツカラーボリュームに関連する1つまたは複数のピクチャを含み、前記コンテンツカラーボリュームが、前記ビデオコンテンツデータの前記1つまたは複数のピクチャの中に存在するカラーのセットによって指定される3次元領域である、ことと、
前記ビデオコンテンツデータからコンテンツカラーボリューム情報を取得することであって、前記コンテンツカラーボリューム情報が、前記ビデオコンテンツデータの前記1つまたは複数のピクチャの前記コンテンツカラーボリュームを示し、前記コンテンツカラーボリューム情報が、前記1つまたは複数のピクチャの最小ルミナンスに関連する第1のルミナンス値、前記1つまたは複数のピクチャの最大ルミナンスに関連する第2のルミナンス値、および前記1つまたは複数のピクチャの色域を記述する1つまたは複数の原色の1つまたは複数の色度座標を含む、ことと、
前記取得されたコンテンツカラーボリューム情報を有するコンテンツカラーボリュームメッセージを設定することとを行うように構成される、
コンピュータ可読記憶媒体。
【請求項１４】
命令を記憶したコンピュータ可読記憶媒体であって、前記命令が、1つまたは複数のプロセッサによって実行されると、前記1つまたは複数のプロセッサに、請求項1から7のいずれか一項に記載の方法を実行させる、コンピュータ可読記憶媒体。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
内視鏡によって生成される解剖学的領域の内視鏡画像と、腹腔鏡超音波プローブによって生成される前記解剖学的領域の超音波画像との画像ベースの融合のための画像融合ワークステーションであって、前記画像融合ワークステーションは、
画像融合コントローラであって、
前記内視鏡画像及び前記超音波画像の通信に応答して、前記画像融合コントローラは、前記解剖学的領域の前記内視鏡の視野内の前記腹腔鏡超音波プローブの前記超音波融合コントローラによる検出から導出される前記腹腔鏡超音波プローブの超音波画像空間と前記内視鏡の内視鏡画像空間との間の画像変換に基づいて、前記内視鏡画像と前記超音波画像との間の前記融合を制御する、
画像融合コントローラと、
表示コントローラであって、
前記表示コントローラは、前記内視鏡画像及び前記超音波画像の前記画像融合コントローラによる前記融合の表示を制御する、
表示コントローラと
を有する、画像融合ワークステーション。
【請求項２】
前記画像融合コントローラ及び前記表示コントローラは、前記腹腔鏡超音波プローブからの前記超音波画像の深度のユーザインタラクティブ選択をさらに制御する、
請求項1に記載の画像融合ワークステーション。
【請求項３】
前記画像融合コントローラ及び前記表示コントローラは、前記解剖学的領域内に挿入される器具に対する前記超音波画像の表示をさらに制御する、
請求項1に記載の画像融合ワークステーション。
【請求項４】
前記画像融合コントローラ及び前記表示コントローラは、前記超音波画像の前記表示の透視ビューをさらに制御する、
請求項1に記載の画像融合ワークステーション。
【請求項５】
前記解剖学的領域の解剖学的モデルの通信に応答して、前記画像融合コントローラは、前記解剖学的モデルのボリュメトリック画像空間と前記内視鏡の前記内視鏡画像空間との間の画像変換に基づいて、前記解剖学的領域の前記解剖学的モデルと前記超音波画像及び前記内視鏡画像の前記融合との間のレジストレーションを制御する、
請求項1に記載の画像融合ワークステーション。
【請求項６】
前記解剖学的モデルは、撮像モダリティによって生成される前記解剖学的領域のボリューム画像である、
請求項5に記載の画像融合ワークステーション。
【請求項７】
前記解剖学的モデルは、前記解剖学的領域内の解剖学的構造の解剖学的アトラスである、
請求項5に記載の画像融合ワークステーション。
【請求項８】
前記画像融合コントローラ及び前記表示コントローラは、前記内視鏡画像、前記超音波画像、及び前記内視鏡画像と前記超音波画像との前記融合の少なくとも1つの表示上に重ね合わされる前記解剖学的モデルの少なくとも1つの基準平面ビューの表示を更に制御する、
請求項5に記載の画像融合ワークステーション。
【請求項９】
前記画像融合コントローラ及び前記表示コントローラは、前記解剖学的領域の前記解剖学的モデルと前記超音波画像及び前記内視鏡画像の前記融合との間の前記レジストレーションに基づいて、前記腹腔鏡超音波プローブによって生成される前記解剖学的領域の複数の超音波画像のうちの標的超音波画像の表示を更に制御する、
請求項5に記載の画像融合ワークステーション。
【請求項１０】
前記画像融合コントローラ及び前記表示コントローラは、前記解剖学的領域の前記解剖学的モデルと前記超音波画像及び前記内視鏡画像の前記融合との間の前記レジストレーションに基づいて、前記解剖学的モデルの表示とともに前記超音波画像及び前記仮想腹腔鏡プローブの表示をさらに制御する、
請求項5に記載の画像融合ワークステーション。
【請求項１１】
前記画像融合コントローラ及び前記表示コントローラは、前記解剖学的領域内で行われる外科的プロシージャの状態を示す前記超音波画像の表示をさらに制御する、
請求項1に記載の画像融合ワークステーション。
【請求項１２】
前記画像融合コントローラ及び前記表示コントローラは、前記解剖学的領域内で行われる外科的プロシージャの状態を示す前記解剖学的モデルの少なくとも1つの基準平面ビューの表示をさらに制御する、
請求項5に記載の画像融合ワークステーション
【請求項１３】
前記画像融合コントローラ及び前記表示コントローラは、前記解剖学的領域の前記解剖学的モデルと前記超音波画像及び前記内視鏡画像の前記融合との間の前記レジストレーションに基づいて、前記解剖学的モデルに対する前記腹腔鏡超音波プローブの少なくとも1つの所望の位置の仮想表示をさらに制御する、
請求項5に記載の画像融合ワークステーション。
【請求項１４】
内視鏡によって生成される解剖学的領域の内視鏡画像と腹腔鏡超音波プローブによって生成される前記解剖学的領域の超音波画像との画像ベースの融合のための画像融合コントローラであって、前記画像融合コントローラは、
前記内視鏡の視野内の前記腹腔鏡超音波プローブの検出を制御するプローブ検出器と、
前記内視鏡の前記視野内の前記腹腔鏡超音波プローブの前記プローブ検出器による前記検出から導出される前記腹腔鏡超音波プローブの超音波画像空間と前記内視鏡の内視鏡画像空間との間の画像変換の計算を制御する画像変換器と、
前記画像変換部により計算される前記画像変換に基づいて、前記内視鏡画像と前記超音波画像との前記融合を制御する画像インテグレータと
を有する、画像融合コントローラ。
【請求項１５】
前記解剖学的領域の解剖学的モデルの通信に応答して、前記画像インテグレータは、前記解剖学的モデルのボリュメトリック画像空間と前記内視鏡の前記内視鏡画像空間との間の画像変換に基づいて、前記解剖学的領域の前記解剖学的モデルと前記超音波画像及び前記内視鏡画像の前記融合との間のレジストレーションを更に制御する、
請求項14に記載の画像融合コントローラ。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
組換え宿主細胞において発現する、安定化産物を産生させる方法であって、
ａ）該細胞を培養するステップであって、該細胞培養ステップの最初から該細胞の収集まで、５０ｍＶより多く減少しない産生培養物の平均酸化還元電位を維持する条件で、該細胞を培養するステップと、
ｂ）該安定化産物を含む該細胞を収集するステップと
を含む、方法。
【請求項２】
組換え宿主細胞において発現する、安定化産物を産生させる方法であって、
対数増殖培養後期の産生培養物において、非安定化産物から該安定化産物までの酸化還元電位差を、−５０ｍＶから−３００ｍＶまでの範囲で提供するステップと、
該産生培養物を、産生期の終わりに、該細胞系が培養された又は通常培養される温度より低い温度であるＴ培養温度に冷却し、
該組換え宿主細胞の該産生培養物からの分離及び上清の収集の間に該酸化還元電位差を維持するステップと
を含み、
それにより、該安定化産物を産生させる、
方法。
【請求項３】
産生培養物からの細胞の分離の間に、４０％を超えて５００％未満までの空気飽和度の範囲で溶存酸素圧（ＤＯＴ）を確立するステップを更に含む、請求項１又は２に記載の方法。
【請求項４】
組換え宿主細胞において発現する、安定化産物を産生させる方法であって、
対数増殖培養後期の産生培養物において、非安定化産物から該安定化産物までの酸化還元電位差を、−５０ｍＶから−３００ｍＶまでの範囲で提供するステップであり、産生期の初めから該産生期の終わりまでの溶存酸素圧（ＤＯＴ）が、４０％を超えて７０％までの空気飽和度の範囲である、該ステップと、
該産生培養物を、該産生期の終わりに、細胞系が、正常に培養されたか、又は正常に培養される温度未満の温度である、Ｔ回収温度に冷却するステップと、
産生培養物及び上清の収集物からの細胞の分離までに、該産生培養物中に空気又はＯ２ガスをスパージすることによって、該ＤＯＴを、４０％を超えて５００％未満までの空気飽和度の範囲に増加させるステップと、
該産生培養物からの該組換え宿主細胞の分離及び上清の収集の間に、該酸化還元電位差を維持するステップと
を含み、
それにより、安定化産物、例えば、単離された安定化タンパク質を産生させる、
方法。
【請求項５】
遷移金属を、前記産生培養物中又は前記産生培養物に、提供するステップであり、該遷移金属のイオンが、Ｚｎ２＋、Ｍｎ４＋、Ｃｕ２＋、Ｆｅ３＋、Ｃｏ２＋、Ｃｒ３＋及び／又はＮｉ２＋から選択される、該ステップを更に含む、請求項１〜４の何れか１項に記載の方法。
【請求項６】
前記ＤＯＴが、有効である場合、スパージ窒素ガス流を抑制すること、有効である場合、オンデマンドのアルカリ制御を抑制すること、有効である場合、オンデマントのＣＯ２ガス流制御を抑制すること、有効である場合、供給材料の添加を抑制すること、有効ではない場合、ヘッドスペース圧力を有効にすること、及び有効ではない場合、ヘッドスペースの空気／Ｏ２流を有効にすること、からなる群から選択される、１つ又は複数の措置によって、更に維持される、請求項１〜５の何れか１項に記載の方法。
【請求項７】
培養の間、１０％から１００％の間の空気飽和度の酸素負荷レベルを維持する、請求項１又は２に記載の方法。
【請求項８】
前記酸素負荷レベルが、４０％から７０％までの空気飽和度である、請求項７に記載の方法。
【請求項９】
前記遷移金属が、Ｚｎ２＋、Ｍｎ２＋及びＣｕ２＋であり、Ｚｎ２＋が、２００から４００μＭまでの濃度で存在し、Ｍｎ２＋が、１０〜１００μＭの濃度で存在し、Ｃｕ２＋が、１０〜１００μＭの濃度で存在する、請求項５に記載の方法。
【請求項１０】
前記細胞が、バイオリアクター中で培養される、請求項１〜９の何れか１項に記載の方法。
【請求項１１】
前記バイオリアクターが、回収容器と作動可能に連結されている、請求項１０に記載の方法。
【請求項１２】
前記バイオリアクターと前記回収容器との間の流路が、ＤＯＴ及び酸化還元のセンサー／プローブの装置を含む、請求項１１に記載の方法。
【請求項１３】
前記ＤＯＴ及び酸化還元のセンサー／プローブからの出力をフィードバック制御として使用して、前記スパージ速度、ヘッドスペース、及び回収の前の前記バイオリアクターの産生培養物中への供給材料又は栄養補助剤の添加の変化をもたらす、請求項１２に記載の方法。
【請求項１４】
前記組換え宿主細胞が、ＨｅＬａ、ＨＥＫ２９３、ＨＴ１０８０、Ｈ９、ＨｅｐＧ２、ＭＣＦ７、ジャーカット、ＮＩＨ３Ｔ３、ＰＣ１２、ＰＥＲ．Ｃ６、ＢＨＫ（ベビーハムスター腎細胞）、ＶＥＲＯ、ＳＰ２／０、ＮＳ０、ＹＢ２／０、Ｙ０、ＥＢ６６、Ｃ１２７、Ｌ細胞、ＣＯＳ、例えば、ＣＯＳ１及びＣＯＳ７、ＱＣ１−３、ＣＨＯＫ１、ＣＨＯＫ１ＳＶ、ポテリジェントＣＨＯＫ１ＳＶ、ＣＨＯ  ＧＳノックアウト、ＣＨＯＫ１ＳＶ  ＧＳ−ＫＯ、ＣＨＯＳ、ＣＨＯ  ＤＧ４４、ＣＨＯ  ＤＸＢ１１並びにＣＨＯＺＮ、又はこれらに由来する任意の細胞である、請求項１〜１３の何れか１項に記載の方法。
【請求項１５】
請求項１〜１３の何れか１項に記載の方法によって産生する、安定化タンパク質。
【請求項１６】
請求項１５に記載の安定化タンパク質を含む、医薬組成物。
【請求項１７】
請求項１〜１３の何れか１項に記載の方法を使用して、安定化産物を産生させることが可能なバイオリアクター。
【請求項１８】
前記産生培養物からの細胞の分離及び上清の収集の間に、該細胞の該酸化還元電位をモニターして、該モニターした酸化還元電位を決定する、請求項１〜１３の何れか１項に記載の方法。
【請求項１９】
前記モニターした酸化還元電位をフィードバックとして使用して、前記産生培養物中の溶存酸素圧を修正する、請求項１８に記載の方法。
【請求項２０】
前記産生培養物中の前記溶存酸素圧は、
ａ）前記モニターした酸化還元電位が特定の値以下であれば増加しており、
ｂ）前記モニターした酸化還元電位が特定の値以上であれば減少している、
請求項１９に記載の方法。
【請求項２１】
前記産生培養物中の前記溶存酸素圧は、
ａ）前記モニターした酸化還元電位が−３００ｍV以下であれば増加しており、
ｂ）前記モニターした酸化還元電位が−５０ｍV以上であれば減少している、
請求項２０に記載の方法。
【請求項２２】
前記温度は、前記産生培養物からの細胞の分離及び上清の収集の間、産生培養の間の温度と比較して低下している、請求項１に記載の方法。
【請求項２３】
前記産生培養物からの細胞の分離及び上清の収集の間の温度は、約１２℃から約１８℃である、請求項１に記載の方法。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
充填領域（５）と排出領域（９）とを有するアイスクリーム機械（１）であって、
径方向延在部と回転軸とを有する回転可能ユニット（１０）と、
アイスクリームを受け入れるための型（２０）であって、前記回転可能ユニット（１０）と共に回転するように構成され、スティック（５２）を受け入れるための溝（２６）を備え、前記溝（２６）は２つの側壁と底とを有する型（２０）と、
スティック（５２）を前記型（２０）の前記溝（２６）に供給するためのスティック供給装置（５０）であって、前記回転可能ユニット（１０）の前記回転軸に対して垂直な方向にスティック（５２）を供給するように構成され、前記スティック（５２）の長手方向は前記回転可能ユニット（１０）の前記回転軸と平行に配置される、スティック供給装置（５０）と、
一度に２本以上のスティック（５２）がスティック（５２）供給装置から前記型（２０）の前記溝（２６）に入ることを防止するように構成された案内構造（８０）を備え、
前記スティック供給装置（５０）は、前記回転可能ユニット（１０）が回転すると、単一のスティック（５２）が前記溝に入ることができるように前記溝（２６）が前記スティック供給装置（５０）の位置に一致するように構成され、前記回転可能ユニット（１０）がさらに回転すると、前記溝（２６）の前記側壁の一方が、回転移動に沿って前記スティック（５２）を運び、
前記案内構造（８０）が、前記スティック（５２）が前記溝（２６）の前記底に到達するように前記回転可能ユニット（１０）の回転方向において半径方向内向きに傾斜するスリット（８２）を備える、請求項１に記載のアイスクリーム機械（１）。
【請求項２】
前記スティック供給装置（５０）が、製造されるアイスクリーム製品の前記回転軸に沿った最終長手方向に前記スティック（５２）を供給するように構成される、請求項１に記載のアイスクリーム機械（１）。
【請求項３】
前記スティック供給装置（５０）および前記案内構造が、前記アイスクリーム機械の前記充填領域（５）の上流に配置される、請求項１または２に記載のアイスクリーム機械（１）。
【請求項４】
前記スティック供給装置（５０）が、前記スティックの平らな表面が互いに向き合うような状態でスタックされた複数のスティック（５２）を保持するように構成され、およびさらに前記平らな側が前記回転可能ユニット（１０）の前記回転軸に面する状態でスティック（５２）を供給するように構成される、請求項１〜３のいずれか一項に記載のアイスクリーム機械（１）。
【請求項５】
アイスクリームを前記型（２０）に押し出すための押出ノズル（４０）であって、前記充填領域に配置された押出ノズル（４０）と、
前記排出領域（９）においてアイスクリームを前記型（２０）から半径方向に放出するための放出機構（３０）と、
をさらに備える、請求項１〜４のいずれか一項に記載のアイスクリーム機械（１）。
【請求項６】
少なくとも５つの型（２０）を備える、請求項１〜５のいずれか一項に記載のアイスクリーム機械（１）。
【請求項７】
押出ノズル（４０）と、放出機構（３０）と、回転可能ユニット（１０）と、前記回転可能ユニット（１０）と共に回転するように構成され、スティック（５２）を受けるための溝（２６）を備え、前記溝（２６）は２つの側壁と底とを有する少なくとも１つの型（２０）と、スティック（５２）を前記型（２０）の前記溝（２６）に供給するためのスティック供給装置（５０）であって、前記回転可能ユニット（１０）の前記回転軸に垂直にスティック（５２）を供給するように構成され、および前記スティック（５２）の長手方向が前記回転可能ユニット（１０）の前記回転軸に平行であるスティック供給装置（５０）と、２本以上のスティック（５２）が前記スティック供給装置（５０）から前記型（２０）の前記溝（２６）に入ることを防止するように構成された案内構造とを有し、前記案内構造は、前記スティックが前記溝の前記底に到達するように前記回転可能ユニットの回転方向において半径方向内向きに傾斜するスリットを備えるアイスクリーム機械（１）を製造するための方法。前記方法は、
含有物を伴うまたは伴わないアイスクリームを提供するステップと、
アイスクリームスティックを前記スティック供給装置（５０）に供給するステップと、
前記回転可能ユニット（１０）を回転させ、それによって、単一のスティック（５２）が前記溝に入るように前記溝（２６）が前記スティック供給装置（５０）の位置に一致するステップと、
前記溝（２６）の前記側壁の一方が前記スティック（５２）を前記充填領域に向かって回転移動に沿って運ぶように前記回転可能ユニット（１０）を回転させるステップと、
棒付きアイスクリームを形成するように前記アイスクリームを前記押出ノズル（４０）を通して前記型（２０）へと押し出すステップと、
前記放出機構を使用して前記型（２０）から前記棒付きアイスクリームを放出するステップと
を含む。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
回路であって、
第２の電源レールに結合された第２の電源と、前記第２の電源は、前記第２の電源レール上のローディングイベントに応答して、トランジェントの第２の電流を前記第２の電源レールに提供し、および前記ローディングイベントに応答してフィードバック信号を生成するように構成される、
前記第２の電源に結合され、前記フィードバック信号を受け取り、および前記ローディングイベントに応答して負荷の電流需要を満たすために、前記フィードバック信号に応答して第１の電源レールへ第１の電流および第１の電圧を提供するように構成される、第１の電源と、
前記第１の電源レールに結合された第１の回路と、前記第１の回路は、前記第１の電源から前記第１の電流および前記第１の電圧を受け取り、および前記受け取られた第１の電流および第１の電圧に基づいて、前記第２の電源レールに第２の電圧を提供するように構成される、
を備える、回路。
【請求項２】
前記第２の電源は、前記第１の電源より前に前記ローディングイベントに応答するように構成され、前記第２の電流は、オプションとして、前記第２の電源レールを介してプロセッサに提供される、請求項１に記載の回路。
【請求項３】
前記第１の電源は、前記第１の電源レールに提供された前記第１の電圧に基づいた第２のフィードバック信号を受け取るようにさらに構成される、請求項１に記載の回路。
【請求項４】
前記回路は、前記第２の電源レール上の第３の電圧が公称値を下回って降下するとき、前記第１の電源からの前記第１の電流を増加させるように前記第２のフィードバック信号を修正するために、前記フィードバック信号を使用するように構成される、請求項３に記載の回路。
【請求項５】
前記フィードバック信号を受け取るように構成される第１の端子と、前記第１の電源のフィードバック入力に、および前記第１の電源レールに、結合された第２の端子と、を有する少なくとも１つのキャパシタをさらに備える、請求項３に記載の回路。
【請求項６】
前記フィードバック信号により、前記第１の電源が、事前決定された時間期間の間、前記第１の電源レールに提供される前記第１の電圧を増加させる、請求項３に記載の回路。
【請求項７】
前記第１の電源は、ハイサイドスイッチングトランジスタを備えるスイッチングレギュレータであり、ここにおいて、前記フィードバック信号は、事前決定された時間期間の間、電源入力電圧を前記第１の電源レールに結合するために、前記ハイサイドスイッチングトランジスタをオンにする、請求項３に記載の回路。
【請求項８】
前記第１の電源は、Ｂｕｃｋスイッチングレギュレータを備え、ここにおいて、前記フィードバック信号は、前記Ｂｕｃｋスイッチングレギュレータの１つまたは複数のデューティーサイクルの間、前記ハイサイドスイッチングトランジスタのＯＮの時間を増加させる、請求項７に記載の回路。
【請求項９】
前記第２の電源は、
前記第２の電源レールに結合された第１の端子、第３の電源レールに結合された第２の端子、および制御端子を有する第１のトランジスタと、ここにおいて、前記第３の電源レール上の第３の電圧は、前記第１の電源レール上の第４の電圧よりも大きい、
前記ローディングイベントを検知し、およびロードイベント信号を生成するように構成された検知回路と、
前記ロードイベント信号を受け取るために結合された入力および前記第１のトランジスタの前記制御端子に結合された出力を有するワンショット回路と、前記ワンショット回路は、前記ロードイベント信号に応答して、事前決定された時間期間の間、前記第１のトランジスタをオンにするように構成される、
を備える、請求項１に記載の回路。
【請求項１０】
前記回路は、寄生キャパシタンスまたは寄生インダクタンス、および、オプションとして、前記ローディングイベントを検知するためのクロックセンサ、電圧センサ、電流センサのうちの少なくとも１つを備える、請求項１に記載の回路。
【請求項１１】
前記第２の電源は、
基準電圧に結合された入力、および前記第２の電源レールに結合された出力を有する増幅器と、
前記増幅器の前記出力から前記第２の電源レールへの電流を検知し、および前記検知された電流に基づいて、前記フィードバック信号を生成するように構成される電流センサと、
を備える、請求項１に記載の回路。
【請求項１２】
前記電流センサは、
前記増幅器の前記出力と前記第２の電源レールとの間に結合された抵抗器と、
前記抵抗器の第１の端子に結合された第１の端子、前記抵抗器の第２の端子に結合された第２の端子、および前記フィードバック信号を生み出すように構成された出力を有する第２の増幅器と、
を備える、請求項１１に記載の回路。
【請求項１３】
前記フィードバック信号を受け取るために前記電流センサに結合された入力と、前記第１の電源のフィードバック入力に結合された出力とを有する平均化回路をさらに備える、請求項１１に記載の回路。
【請求項１４】
前記第２の電源は、
前記第２の電源レール上の第４の電圧よりも大きい第３の電圧を有する第３の電源レールに結合された入力、基準電圧に結合された制御入力、および前記第２の電源レールに結合された出力を有するスイッチングレギュレータと、
前記スイッチングレギュレータの前記出力から前記第１の電源レールへの電流を検知し、および前記検知された電流に基づいて、前記フィードバック信号を生成するように構成される電流センサと、
を備える、請求項１に記載の回路。
【請求項１５】
電力を供給する方法であって、
第２の電源レール上のローディングイベントに応答して、トランジェントの第２の電流を第２の電源から前記第２の電源レールに提供することと、
前記ローディングイベントに応答してフィードバック信号を生成することと、
前記ローディングイベントに応答して負荷の電流需要を満たすために、前記フィードバック信号に応答して、第１の電源から第１の電源レールへ第１の電流および第１の電圧を提供することと、
第１の回路を通して前記第２の電源レールに前記第１の電流および前記第１の電圧を結合することと、
を備える、方法。